(57)【要約】【課題】箱本体の開口に外嵌する操作体を上下にスライドさせることで、箱本体と操作体の間に連結された蓋体を折り曲げ線を中心に屈伸させ、これにより箱本体の開口の開放と閉止をおこなう箱について、折り畳まれて開口を閉止する蓋体が意図せずして伸長し、開口を開放してしまうことを防止する。【解決手段】箱の蓋体３０に、側縁部から折り曲げ線３１に沿って内方に切り込まれたスリット３５を設け、蓋体３０が折り畳まれて重なり合い、箱本体１０の開口を閉止した際に、そのスリット３５に隣接する蓋体３０がはまり込んでその折り畳み状態が保持されるようにする。【選択図】図１
2013227044.tif 000002
【特許請求の範囲】
【請求項１】
下端が閉塞され上端が開口する筒形の箱本体と、
前記箱本体の開口に外嵌し、前記箱本体の上下方向に沿って上限位置と下限位置の間でスライド可能な、上下端が共に開口する筒形の操作体と、
前記箱本体の周方向に並列し、その各下端部が前記箱本体の上端部に、その各上端部が前記操作体の上端部に、それぞれ連結され、その上下方向の各中間箇所に設けられた折り曲げ線を中心に内向きに折り畳み可能な複数の蓋体と、を備え、
前記操作体の上限位置で前記蓋体は伸長して前記箱本体の開口を開放し、前記操作体の下限位置で前記蓋体は内向きに折り畳まれて隣接する前記蓋体同士が重なり合うことで前記箱本体の開口を閉止する箱であって、
前記各蓋体は、その側縁部から前記折り曲げ線に沿って内方に切り込まれ、前記操作体の下限位置で隣接する蓋体がはまり込んでその折り畳み状態が保持されるスリットを有する箱。
【請求項２】
前記各蓋体は、その側縁部に、側縁部間の幅が前記上端部および下端部から前記折り曲げ線に向けて狭くなるような切り欠き部を有する請求項１に記載の箱。
【発明の詳細な説明】
【技術分野】
【０００１】
本発明は、箱に関する。
詳しくは、本発明は、筒形の箱本体と、箱本体に外嵌する筒形の操作体と、箱本体と操作体とを連結する内向きに折り畳み可能な複数の蓋体とからなり、その操作体を箱本体の上下方向に沿ってスライドさせることにより、蓋体が屈伸して、箱本体の開口を開放および閉止する箱に関する。
【背景技術】
【０００２】
特許文献１および２のように、下端が封止され上端が開口する円筒形の箱本体と、この箱本体の開口に外嵌された上下端が開口する円筒形の操作体と、箱本体と操作体とを連結する蓋体と、を備える箱が知られている。
【０００３】
より具体的には、この種の箱では、箱本体の上端部と操作体の上端部とが、箱本体および操作体の周方向に並列する複数の蓋体を介して連結されており、各蓋体はその上下方向の中間部に形成された折り曲げ線を中心に、内向きに折り畳み可能（二つ折り可能）となっている。
そして、操作体を上昇させると蓋体が伸長して箱本体の開口は開放され、また操作体を下降させると蓋体は内向きに折り畳まれ、隣接する蓋体同士が重なり合うことで箱本体の開口は閉止される。
【先行技術文献】
【特許文献】
【０００４】
【特許文献１】実公昭４３−２１４１７号公報
【特許文献２】実開昭５０−１３５５４２号公報
【発明の概要】
【発明が解決しようとする課題】
【０００５】
この種の箱は、プラスチックシートやボール紙などの弾性を有するシート体を打ち抜き、折り曲げることで一体に作製されるのが一般的であり、その蓋体には、折り曲げ線を中心に折り畳まれた際に、伸長する方向へ戻ろうとする復元弾性が生じる。
したがって、操作体を下降させて蓋体を折り畳み、箱本体の開口を閉止しても、蓋体が復元弾性により操作体を押し上げながら伸長し、意図せずして箱本体の開口が開放されてしまうことがあった。
【０００６】
このような問題は、箱が弾性を有するシート製ではなく、蓋体に伸長する方向への復元弾性が生じない場合にも共通しうる。
すなわち、開口の閉止時に蓋体の折り畳み状態がしっかりと保持されていない場合には、衝撃が加わるなどして意図せずして蓋体が伸長してしまうことがありうる。
【０００７】
そこで本発明の解決すべき課題は、箱本体の開口に外嵌する操作体を上下にスライドさせることで、箱本体と操作体の間に連結された蓋体を屈伸させ、これにより箱本体の開口の開放と閉止をおこなう箱について、折り畳まれて開口を閉止する蓋体が意図せずして伸長し、開口を開放してしまうことを防止することである。
【課題を解決するための手段】
【０００８】
上記した課題を解決するため、本発明の箱では、その蓋体に、側縁部から折り曲げ線に沿って内方に切り込まれたスリットを設け、蓋体が折り畳まれて重なり合い、箱本体の開口を閉止した際に、そのスリットに隣接する蓋体がはまり込んでその折り畳み状態が保持されるようにしたのである。
【０００９】
各蓋体は、その側縁部に、側縁部間の幅が前記上端部および下端部から前記折り曲げ線に向けて狭くなるような切り欠き部が形成されているのが好ましい。
【発明の効果】
【００１０】
本発明の箱では、蓋体は折り畳まれて箱本体の開口を閉止した状態で、隣接する蓋体に設けられたスリットにはまり込んで保持されるため、その素材に由来する復元弾性や外部から多少の衝撃が加えられた程度では、伸長した状態には戻ることはなく、開口が意図せずして開放されてしまうことが防止される。
【００１１】
蓋体の側縁部が、上下端から中央に向けて幅が小さくなるように切り欠かれていると、蓋体が折れ曲がった際に折り曲げ線を先端とする先細り形状となるため、隣接する蓋体と干渉しにくくなり、その折り畳みがスムーズにおこなわれる。
【図面の簡単な説明】
【００１２】
【図１】箱の開口が開放された状態を示す斜視図
【図２】箱の開口が開放された状態から閉止された状態への移行途中における要部拡大斜視図
【図３】箱の開口が閉止された状態を示す斜視図
【図４】箱の開口が閉止された状態での要部拡大斜視図
【図５】箱の展開平面図
【図６】箱の組立途中を示す斜視図
【発明を実施するための形態】
【００１３】
以下、図面を参照しつつ本発明の実施形態について説明する。
【００１４】
図１〜図４に示す実施形態の箱は、箱本体１０の開口に外嵌する操作体２０を上下にスライドさせることで、箱本体１０と操作体２０の間に連結された蓋体３０を屈伸させ、これにより箱本体１０の開口の開放と閉止をおこなうものであり、折り畳まれて開口を閉止する蓋体３０のその折畳み状態が保持されるような工夫がなされている。
【００１５】
図示のように、箱本体１０は四面の相似形の側板１１からなる正四角筒形をしており、その上端部は開口しているとともに、その下端部は各側板１１の下端に連結された底板１２を重ね合わせて互いに組み合わせることにより（底組みすることにより）、閉塞されている。
【００１６】
操作体２０は四面の相似形の側板２１からなる正四角筒形をしており、その上下端部は開口している。
操作体２０の寸法は、その筒軸方向の長さを除けば、箱本体１０の寸法よりも若干大きく形成されており、操作体２０は、箱本体１０の上端部に外嵌、すなわち被せられている。
操作体２０は、箱本体１０に外嵌された状態で上下方向すなわち、箱本体１０の側板１１の長辺方向に沿ってスライド可能となっている。
【００１７】
板状で相似形の四つの蓋体３０は、箱本体１０と操作体２０の間において、箱本体１０および操作体２０の周方向に並列して配置されている。
各蓋体３０と、箱本体１０の各側板１１および操作体２０の各側板２１は一対一に対応しており、操作体２０の内側において、その下端部が箱本体１０の側板１１の上端部に、その上端部が操作体２０の側板２１の上端部に、それぞれ連結されている。
【００１８】
蓋体３０は上下方向の中間部に、水平方向に延びて折り曲げ容易な折り曲げ線３１を有し、これにより折り曲げ線３１よりも上側の上板３２と下側の下板３３とに区画されている。折り曲げ線３１は、ミシン目、ハーフカットなどの適宜手段により形成されている。
蓋体３０は折り曲げ線３１を中心に、上板３２と下板３３とがほぼ平行となる伸長した状態から、上板３２と下板３３とがほぼ重なり合う折り畳まれた状態へと、内向きに折り曲げ可能となっている。
【００１９】
なお上述した操作体２０のスライド量は、操作体２０と箱本体１０の間が蓋体３０により連結されていることから、蓋体３０が最大限伸長された位置を上限位置とし、蓋体３０が完全に二つ折りされた位置を下限位置とし、この上下限位置の間に制限されることになる。
【００２０】
蓋体３０はその両側縁に、折り曲げ線３１上に頂点が位置する二等辺三角形に切り欠かれた切り欠き部３４を有する。これにより、上板３２と下板３３とは相似形でかつ折り曲げ線に向って幅が狭くなる台形となっている。
このため、蓋体を上板と下板が重なり合うように折り畳むと、蓋体は先端となる折り曲げ線３１に向って先細り形状となる。
なお図示のように、切り欠き部３４は、蓋体３０の一側縁（図１のむかって左側縁）に形成されたもののほうが、蓋体３０の他側縁（図１のむかって右側縁）に形成されたものよりも大きく、すなわち二等辺三角形の高さが大きく、形成されている。
【００２１】
さらに蓋体３０は、大きいほうの切り欠き部３４が形成された側の側縁から折り曲げ線３１に沿って内向きに切り込まれたスリット３５を有する。
なおスリット３５は、ほぼ折り曲げ線３１の上にあるが、多少は折り曲げ線よりも上板３２または下板３３の側に片寄っていてもよい。
スリット３５の長さは長すぎて蓋体３０の脆弱化（スリット３５を起点とする破断）を招かない限りにおいて特に限定されない。いっぽうスリット３５の幅は、蓋体３０の上板３２および下板３３の合計厚みとほぼ等しい大きさとなっている。
【００２２】
実施形態の箱は、プラスチックシートやボール紙などの弾性を有するシート体を打ち抜いてなる図５に示すブランクＢを、図６に示すように組み立てることで作製される。
図５のように、ブランクＢの箱本体相当箇所は、罫線を介して長方形の側板１１が短辺方向に四枚並列しており、さらにその一側の側板１１の長辺に罫線を介して継代１３が連結されている。各側板１１の一方短辺には、それぞれ罫線を介して異形の底板１２が連結されている。
同様に、ブランクの操作体相当箇所は、罫線を介して正方形の側板２１が四枚並列しており、さらにその一側に罫線を介して継代２２が形成されている。
【００２３】
箱本体相当箇所の各側板１１の他方短辺と、これに対向する操作体相当箇所の各側板２１の対向辺との間には、ブランクＢの蓋体相当箇所である上板３２および下板３３が罫線を介して連結されている。
上板３２および下板３３の境界は、折り曲げ線３１により折り曲げ容易となっており、その傍らにスリット３５が形成されている。また、上板３２および下板３３の幅が折り曲げ線３１に向うにつれて漸減するように、蓋体相当個所の両側縁に切り欠き３４が設けられている。
【００２４】
図６に示すように、ブランクＢの操作体相当箇所と蓋体相当箇所の境界にある罫線を約１８０度折り曲げて、操作体相当箇所を蓋体相当箇所の全体と箱本体相当箇所の一部に重ね合わせる。
次いで、箱本体相当箇所の各側板１１間の罫線および操作体相当箇所の各側板２１間の罫線を約９０度折り曲げて、操作体相当箇所が外側になるように、かつ箱本体相当箇所および操作体相当箇所を各側板１１、２１がそれぞれ四角筒形になるように巻いて組み立てる。
【００２５】
この状態で、箱本体相当個所の継代１３を側板１１に、操作体相当個所の継代２２を側板２１に、それぞれ貼り付ける。同時に、箱本体相当箇所の各側板１１と各底板１２の境界にある罫線を約９０度折り曲げて、底板１２同士を重ね合わせ、かつ互いに組み合わせて底組みをおこなう。
このようにして、実施形態の箱が完成する。
なお、箱本体相当個所の側板１１と蓋体相当箇所の下板３３との境界にある罫線、および操作体相当個所の側板２１と蓋体相当箇所の上板３２との境界にある罫線は、あらかじめ折りぐせをつけて折り曲げやすくしておくのが好ましい。
【００２６】
実施形態の箱の構成は以上のようであり次にその作用を説明すると、まず図１のように、操作体２０のスライドの上限位置においては、蓋体３０は上板３２と下板３３が同一平面をなすように伸長して、操作体２０の側板２１の内面にほぼ重ね合わされている。このため、箱本体１０の開口は開放された状態となり、この開口を通じて箱本体１０の中に物品を収容可能となっている。
【００２７】
ここから図２のように、操作体２０を下降させると、蓋体３０は折り曲げ線３１を中心に内向きにくの字型に折り曲がってゆく。この際に、折れ曲がった蓋体３０は折り曲げ線３１を先端とする先細り形状となるため、隣接する蓋体３０同士が干渉しにくくなっている。したがって、蓋体３０の折り畳み動作がスムーズにおこなわれる。
このように、蓋体３０の切り欠き部３４は、隣接する蓋体３０との干渉を防止するための、いわば逃げとして機能する。
【００２８】
さらに図３のように、操作体２０を下限位置にまで下降させると、折り畳まれた蓋体３０同士が重なり合って箱本体１０の開口が閉止される。
ここから逆に操作体２０を上昇させると、図２のように蓋体３０が若干伸長され、さらに操作体２０を図１のように上限位置まで上昇させると、蓋体３０は伸長し切って箱本体１０の開口が開放される。
このように操作体２０を昇降スライドさせるだけで、箱本体１０の開口の開放および閉止を簡単におこなうことができる。
【００２９】
ここで図４のように、操作体２０の下限位置においては、折り畳まれた各蓋体３０の折り曲げ線３１を先端とする先端部は、隣接する蓋体３０のスリット３５にはまり込んで保持されている。
したがって、折り畳まれた蓋体３０に対して、素材の持つ復元弾性や外部からの衝撃により、伸長しようとする力が作用してもスリットの挟み込みによりその折り畳まれた状態が維持されるようになっている。
【００３０】
こうして、蓋体３０が意図せずして伸長し、箱本体１０の開口を開放してしまう事態を阻止することができる。
なお、蓋体３０のスリット３５へはまり込む量は、先端部のみと比較的小さいため、手で一定量の力を加えて操作体２０を上昇させようとすると、蓋体３０はスリット３５から抜け出て伸長させることが可能となる。
【００３１】
今回開示された実施形態はすべての点で例示であって制限的なものではないと考慮されるべきである。本発明の範囲は特許請求の範囲によって示され、特許請求の範囲と均等の意味および範囲内でのすべての修正と変形を含むものであることが意図される。
【００３２】
たとえば実施形態では、箱をブランクＢから作製したがこれに限定されず、箱本体１０、操作体２０、蓋体３０を別体に作製したものを貼り合わせ等により接続してもよい。
また実施形態では、箱本体１０や操作体２０を四角筒形としているが、筒形であれば足り、六角筒などの他の多角筒形、円筒形、楕円筒形などでもよい。
箱本体１０の底板１２の構造も特に限定されず、要するに箱本体１０の下端を閉塞できれば足り、実施形態のような組み上げ形式のみならず、矩形の底板同士を単に重ね合わせるだけの形式のものでもよい。
【００３３】
実施形態では、蓋体３０の数を箱本体１０が四角筒であることに対応させて四つとしているがこれに限定されず、たとえば、箱本体１０が六角筒であれば六つにしてもよい。逆に、箱本体１０が多角筒の場合に、その面の数に必ずしも対応させる必要はなく、たとえば箱本体１０が四角筒の場合に、蓋体３０の数を三つとし、四つの側板１１、２１のうちの三つの側板１１、２１にそれぞれ接続されてものとしてもよい。
蓋体３０の形状も、中央部に折り曲げ線３１とスリット３５を有する限り特に限定されない。たとえば蓋体３０の数を減らすなどして、隣接する蓋体３０間の距離を大きくし、蓋体３０同士の干渉を防止する等の方策を講じることで、切り欠き部３４を省略することも可能である。
切り欠き部３４の形状も、要するに蓋体３０が折り曲げ線に向って幅が狭くなっていれば足りるため、実施形態の三角形に限定されず、弧状などでもよい。切り欠き部３４は、蓋体３０の一側縁のみに設けてもよい。
【符号の説明】
【００３４】
１０  箱本体
１１  側板
１２  底板
１３  継代
２０  操作体
２１  側板
２２  継代
３０  蓋体
３１  折り曲げ線
３２  上板
３３  下板
３４  切り欠き部
３５  スリット
Ｂ  ブランク
【図１】
2013227044.tif 000003
【図２】
2013227044.tif 000004
【図３】
2013227044.tif 000005
【図４】
2013227044.tif 000006
【図５】
2013227044.tif 000007
【図６】
2013227044.tif 000008